(57)【特許請求の範囲】
【請求項１】
重なり合う基板１，２の周囲に側板４を連設し、側板４の端縁から延出した折曲片５を内側へ折り曲げる瓶の緩衝材において、２枚の基板１，２を、その一方の基板１の一側から切り込んで形成した連結片３を介して繋ぎ、各基板１，２の一組の対向する端縁から側板４及び折曲片５を順次延出し、一方の基板１と連結片３との境界の折目線７を、この基板１の角部から斜め方向に延びるものとし、他方の基板２と連結片３との境界の折目線８を、他の折目線７とは逆方向に折れ曲がるようにし、基板１，２同士を９０°捻って重ねたことを特徴とする瓶の緩衝材。
【発明の詳細な説明】
【技術分野】
【０００１】
この発明は、酒類等の瓶の梱包に使用する緩衝材に関するものである。
【背景技術】
【０００２】
従来、酒類等の瓶の底部及び首部を保持して緩衝する緩衝材として、下記特許文献１には、段ボール等の厚紙を材料とし、４枚の側板を側縁で繋いで角筒を形成し、角筒の周囲をなす複数枚の側板の一端縁から延出した基板を重ね合わせ、側板の他端縁から延びる折曲片を内側へ折り曲げ、多層化した基板で瓶の荷重を支持すると共に、側板及び折曲片で瓶の外周を保持するものが記載されている。
【０００３】
【特許文献１】実開平６−３９７２３号公報
【発明の開示】
【発明が解決しようとする課題】
【０００４】
しかしながら、上記緩衝材では、ブランク状態で４枚の側板が横一列に連設されているため、ブランクが横長となって、材料を効率的に使用できないという問題があった。
【０００５】
そこで、この発明は、緩衝性を確保しつつ、効率的に材料を使用して製造することができる瓶の緩衝材を提供することを課題とする。
【課題を解決するための手段】
【０００６】
上記課題を解決するため、この発明は、重なり合う基板の周囲に側板を連設し、側板の端縁から延出した折曲片を内側へ折り曲げる瓶の緩衝材において、２枚の基板を、その一方の基板の一側から切り込んで形成した連結片を介して繋ぎ、各基板の一組の対向する端縁から側板及び折曲片を順次延出し、一方の基板の角部から連結片の繋がる折目線が斜め方向に延びるものとし、他方の基板と連結片の繋がる折目線を他の折目線とは逆方向に折れ曲がるようにし、基板同士を９０°捻って重ねたのである。
【発明の効果】
【０００７】
この緩衝材では、ブランク状態において、各基板から延びる側板が２枚ずつ２列に並ぶため、ブランクが一方向に著しく長くなることがなく、材料を効率的に使用して、コストを抑制することができる。
【０００８】
また、基板を９０°捻ることにより、ブランク状態から容易に組み立てることができ、梱包状態で十分な緩衝性を確保することができる。
【発明を実施するための最良の形態】
【０００９】
以下、この発明の実施形態を添付図面に基づいて説明する。
【００１０】
この緩衝材は、複両面段ボールを材料とするものであり、図１に示すブランクから形成される。このブランクでは、略正方形の基板１の一側に、基板１よりやや小さい基板２が配置され、２枚の基板１，２は、基板１の一側から切り込んで形成した直角二等辺三角形の連結片３を介して繋がれている。
【００１１】
各基板１，２の一組の対向する端縁には、両端からの切込に挟まれた繋ぎ部分を介して側板４及び折曲片５が順次連設され、各基板１，２の中央部には、組立時に一致する首入穴６が形成されている。
【００１２】
基板１と連結片３との境界の折目線７は、基板１の角部から斜め４５°の方向に延びるものとされ、基板２と連結片３との境界の折目線８は、他の折目線７とは逆方向に折れ曲がるように、内側のライナからの半切罫線とされている。
【００１３】
このブランクを組み立てる際には、図２に示すように、基板１の上に重なるように連結片３を折目線７に沿って折り曲げ、その上に重なるように基板２を折目線８に沿って逆方向に折り曲げて、基板１，２を９０°捻った状態で重ね合わせる。そして、図３に示すように、基板１，２の周囲から側板４を起立させて、枡形の形状とする。
【００１４】
一方、図４及び図５に示すように、瓶Ｂを縦長の箱Ｃに収納して梱包する際には、上記のように組み立てた緩衝材を２個使用し、そのうち１個を、折曲片５を内側へ折り曲げた状態で、箱Ｃの底部に挿入する。
【００１５】
次に、箱Ｃに瓶Ｂを挿入し、瓶Ｂの底面を基板２に載せ、基板１，２で瓶Ｂの荷重を受け止めると共に、反発により下部が内側へ迫り出した折曲片５を瓶Ｂに当接させて、側板４及び折曲片５で瓶Ｂの底部外周を保持する。
【００１６】
その後、他の１個の緩衝材を組み立てて、その首入穴６に瓶Ｂの首部が嵌まるように、箱Ｃの上部に挿入して、瓶Ｂの首部外周を基板１，２で保持し、折曲片５を内側へ折り曲げて瓶Ｂの頭部に被せ、箱Ｃの天面を閉じる。
【００１７】
上記のような緩衝材では、ブランク状態において、各基板１，２から延びる側板４が２枚ずつ２列に並ぶため、ブランクが一方向に著しく長くなることがなく、材料を効率的に使用して、コストを抑制することができる。
【００１８】
また、基板１，２を９０°捻ることにより、ブランク状態から容易に組み立てることができ、瓶Ｂの底面が重なり合った基板１，２で支持され、瓶Ｂの底部外周が側板４及び折曲片５で包囲されると共に、瓶Ｂの首部外周が段目の直交に伴い２方向からの強度に優れた基板１，２で保持されるので、梱包状態で十分な緩衝性を確保することができる。
【００１９】
また、この緩衝材は、瓶Ｂの底部を受け止めるものと、瓶Ｂの首部に嵌めるものとを、同じ構成のもので兼用することができるほか、瓶Ｂの底部の外径が異なっても、その外周に折曲片５が反発で当接するので、瓶Ｂを安定した状態で保持することができる。
【００２０】
さらに、２本入りや３本入りのギフト箱による包装のように、複数本の瓶Ｂを一個の箱に収納する場合にも、同一の緩衝材を箱の内部に並べて挿入することにより、各瓶Ｂを緩衝保持することがきる。
【００２１】
そのほか、図６に示すように、箱を用いることなく、不織布等のシート材Ｓによる包装とする場合にも、この緩衝材で瓶Ｂの底部を受け止めることにより、瓶Ｂを落下等の衝撃から保護することができる。
【００２２】
このように、上記緩衝材を使用すると、様々な梱包形態に対応して、瓶を緩衝保持できるので、多種の梱包資材を用意しておく必要がなく、組立等の作業負荷も軽減され、酒類等の流通における包装の合理化を図ることができる。
【００２３】
なお、上記実施形態では、基板１，２が四角形のものを例示したが、基板１，２を、八角形等の多角形として、その一側同士を連結片３を介して繋ぐようにしてもよい。この場合、角部が面取りされた八角柱状等の箱に対応することができる。
【図面の簡単な説明】
【００２４】
【図１】この発明の実施形態に係る緩衝材のブランクを示す図
【図２】同上の基板の折重状態を示す斜視図
【図３】同上の組立過程を示す斜視図
【図４】同上の箱による梱包状態を示す斜視図
【図５】同上の縦断側面図
【図６】同上のシート材による梱包状態を示す斜視図
【符号の説明】
【００２５】
１，２  基板
３  連結片
４  側板
５  折曲片
６  首入穴
７，８  折目線
【図１】
0004663498.tif 000002
【図２】
0004663498.tif 000003
【図３】
0004663498.tif 000004
【図４】
0004663498.tif 000005
【図５】
0004663498.tif 000006
【図６】
0004663498.tif 000007